(57)【要約】【課題】従来の技術では、コンテンツに対するコメントを投稿するユーザは予め用意された各種のコメント表示形態を選択することができるものの、それは他のユーザもその表示形態を利用可能であるため投稿したコメントの差別化を図ることが難しい、という課題がある。【解決手段】以上の課題を解決するために、本発明は、コメントを表示する際の表示形態を定める表示フォーマットをランダムでコメント投稿者に取得される構成とし、そのランダムで取得された表示フォーマットを利用してコメント表示が実行されることを特徴とするコメント表示装置を提供する。【選択図】図２
2014007598.tif 000002
【特許請求の範囲】
【請求項１】
複数ある表示フォーマットから選択される特定のフォーマットを用いて、コメント投稿者からのコンテンツに対するコメントを他の者にも閲覧可能に表示するためのコメント表示装置であって、
前記コメント投稿者によって投稿されるコメントが他の者にも閲覧可能とされる際に利用されうる複数の表示フォーマットであるユニーク表示フォーマットを識別するユニーク表示フォーマットＩＤを保持するユニーク表示フォーマットＩＤ保持部と、
コメント投稿者からのコメント投稿の入力受付け、又はコメント投稿以外の入力受付けに応じて前記ユニーク表示フォーマットＩＤのいずれか一以上がランダムに選択されるよう構成されたユニーク表示フォーマットＩＤランダム選択部と、
コメント投稿者からのコメントの投稿に際してそのコメント投稿者の前記入力受付けに応じてランダムに選択されたユニーク表示フォーマットＩＤで識別されるユニーク表示フォーマットにてコメントを表示するよう制御するための表示制御情報を出力するコメント表示制御部と、
を有するコメント表示装置
【請求項２】
ユニーク表示フォーマットＩＤランダム選択部でランダムに選択された２以上のユニーク表示フォーマットＩＤで識別されるユニーク表示フォーマットを組み合わせて新しいユニーク表示フォーマットを生成するユニーク表示フォーマット生成部を有する請求項１に記載のコメント表示装置。
【請求項３】
一のコメント投稿者からの入力受付けに応じてランダムに選択されたユニーク表示フォーマットＩＤで識別されるユニーク表示フォーマットを、他のコメント投稿者からの入力受付けに応じてランダムに選択されたユニーク表示フォーマットＩＤで識別されるユニーク表示フォーマットと交換する交換部を有する請求項１または２に記載のコメント表示装置。
【請求項４】
複数ある表示フォーマットから選択される特定のフォーマットを用いて、コメント投稿者からのコンテンツに対するコメントを表示する端末装置であって、
投稿されたコメントがコメント投稿者以外にも閲覧可能とされる際に利用されうる複数の表示フォーマットのうち、前記取得したコメントのコメント投稿者によってランダムに選択された表示フォーマットであるユニーク表示フォーマットにてコメントを表示するよう制御するための表示制御情報を取得する表示制御情報取得部と、
取得した表示制御情報に基づいて前記ランダムに選択されたユニーク表示フォーマットにて前記コメントを表示するコメント表示部と、
を有する端末装置。
【請求項５】
コンテンツに対して、複数ある表示フォーマットから選択される特定のフォーマットを用いて、コメント投稿者からのコメントを他の者にも閲覧可能に表示するためのコメント表示装置の動作方法であって、
前記コメント投稿者によって投稿されるコメントが他の者にも閲覧可能とされる際に利用されうる複数の表示フォーマットであるユニーク表示フォーマットを識別するユニーク表示フォーマットＩＤを保持するユニーク表示フォーマットＩＤ保持部に記録するユニーク表示フォーマットＩＤ記録ステップと、
コメント投稿者からのコメント投稿の入力受付け、又はコメント投稿以外の入力受付けに応じて前記ユニーク表示フォーマットＩＤのいずれか一以上がランダムに選択されるよう構成されたユニーク表示フォーマットＩＤランダム選択ステップと、
コメント投稿者からのコメントの投稿に際してそのコメント投稿者の前記入力受付けに応じてランダムに選択されたユニーク表示フォーマットＩＤで識別されるユニーク表示フォーマットにてコメントを表示するよう制御するための表示制御情報を出力するコメント表示制御ステップと、
を実行するコメント表示装置の動作方法。
【請求項６】
コンテンツに対して、複数ある表示フォーマットから選択される特定のフォーマットを用いて、コメント投稿者からのコメントを他の者にも閲覧可能に表示するためにコメント表示装置を動作させるプログラムであって、
前記コメント投稿者によって投稿されるコメントが他の者にも閲覧可能とされる際に利用されうる複数の表示フォーマットであるユニーク表示フォーマットを識別するユニーク表示フォーマットＩＤを保持するユニーク表示フォーマットＩＤ保持部に記録するユニーク表示フォーマットＩＤ記録ステップと、
コメント投稿者からのコメント投稿の入力受付け、又はコメント投稿以外の入力受付けに応じて前記ユニーク表示フォーマットＩＤのいずれか一以上がランダムに選択されるよう構成されたユニーク表示フォーマットＩＤランダム選択ステップと、
コメント投稿者からのコメントの投稿に際してそのコメント投稿者の前記入力受付けに応じてランダムに選択されたユニーク表示フォーマットＩＤで識別されるユニーク表示フォーマットにてコメントを表示するよう制御するための表示制御情報を出力するコメント表示制御ステップと、
をコメント表示装置にて実行するプログラム。
【請求項７】
複数ある表示フォーマットから選択される特定のフォーマットを用いて、コメント投稿者からのコンテンツに対するコメントを表示する端末装置の動作方法であって、
投稿されたコメントがコメント投稿者以外にも閲覧可能とされる際に利用されうる複数の表示フォーマットのうち、前記取得したコメントのコメント投稿者によってランダムに選択された表示フォーマットであるユニーク表示フォーマットにてコメントを表示するよう制御するための表示制御情報を取得する表示制御情報取得ステップと、
取得した表示制御情報に基づいて前記ランダムに選択されたユニーク表示フォーマットにて前記コメントを表示するコメント表示ステップと、
を実行する端末装置の動作方法。
【請求項８】
複数ある表示フォーマットから選択される特定のフォーマットを用いて、コメント投稿者からのコンテンツに対するコメントを表示するために端末装置を動作させるプログラムであって、
投稿されたコメントがコメント投稿者以外にも閲覧可能とされる際に利用されうる複数の表示フォーマットのうち、前記取得したコメントのコメント投稿者によってランダムに選択された表示フォーマットであるユニーク表示フォーマットにてコメントを表示するよう制御するための表示制御情報を取得する表示制御情報取得ステップと、
取得した表示制御情報に基づいて前記ランダムに選択されたユニーク表示フォーマットにて前記コメントを表示するコメント表示ステップと、
を端末装置にて実行するプログラム。
【発明の詳細な説明】
【技術分野】
【０００１】
本発明は、コンテンツに対するコメント表示を制御する技術に関する。
【背景技術】
【０００２】
従来、コンテンツに対してユーザが投稿した感想などのコメントを、例えば動画コンテンツや静止画コンテンツなどに重畳して移動表示する、あるいはコンテンツの表示エリア近傍に表示する、といった具合のコメント付のコンテンツ配信サービスが提供されている。
【０００３】
ここで、このコメントの投稿に関しては、通常はコンテンツのビューワとなるアプリケーションにテキストや所定の絵文字などの入力欄が設けられ、その欄内に入力されたテキストなどがコメント配信を管理するサーバに送信されることで実現される。
【０００４】
そしてコメントの投稿者は、入力したテキストなどの表示設定として、例えば「大きさ」、「色」、「表示位置」、「フォント」、またコメントを移動表示するのであれば「移動スピード」、「アニメーション効果」などを指定し、当該指定された表示形態でのコメント表示を行わせることができる。
【０００５】
また、特許文献１では、映像のシーンごとに関連付けられているキーワードをリスト表示する際に、当該キーワードの人気度などに応じて形態を変えて表示するキーワードの演出表示技術が開示されている。また特許文献２には、インターネット上のホームページ内で表示されるテキストのフォントを、領域ごとに異なるように設定することで複数のフォントを一のホームページ内で混在させるホームページ内テキストの演出表示技術が提供されている。
【先行技術文献】
【特許文献】
【０００６】
【特許文献１】特開２０１０−２１９８４９号公報
【特許文献２】特開２０１１−０４００９３号公報
【発明の概要】
【発明が解決しようとする課題】
【０００７】
しかし上記従来の技術には以下のような課題がある。すなわち、コメントを投稿するユーザは予め用意された各種のコメント表示形態を選択することができるものの、それは他のユーザも利用可能な表示形態であるため投稿したコメントの差別化を図ることが難しい、という課題がある。
【課題を解決するための手段】
【０００８】
以上の課題を解決するために、本発明は、コメントを表示する際の表示形態を定める表示フォーマットをランダムでコメント投稿者に取得される構成とし、そのランダムで取得された表示フォーマットを利用してコメント表示が実行されることを特徴とするコメント表示装置を提供する。
【０００９】
具体的に、複数ある表示フォーマットから選択される特定のフォーマットを用いて、コメント投稿者からのコンテンツに対するコメントを他の者にも閲覧可能に表示するためのコメント表示装置であって、前記コメント投稿者によって投稿されるコメントが他の者にも閲覧可能とされる際に利用されうる複数の表示フォーマットであるユニーク表示フォーマットを識別するユニーク表示フォーマットＩＤを保持するユニーク表示フォーマットＩＤ保持部と、コメント投稿者からのコメント投稿の入力受付け、又はコメント投稿以外の入力受付けに応じて前記ユニーク表示フォーマットＩＤのいずれか一以上がランダムに選択されるよう構成されたユニーク表示フォーマットＩＤランダム選択部と、コメント投稿者からのコメントの投稿に際してそのコメント投稿者の前記入力受付けに応じてランダムに選択されたユニーク表示フォーマットＩＤで識別されるユニーク表示フォーマットにてコメントを表示するよう制御するための表示制御情報を出力するコメント表示制御部と、を有するコメント表示装置を提供する。
【００１０】
また、上記構成を備え、さらにユニーク表示フォーマットＩＤランダム選択部でランダムに選択された２以上のユニーク表示フォーマットＩＤで識別されるユニーク表示フォーマットを組み合わせて新しいユニーク表示フォーマットを生成するユニーク表示フォーマット生成部を有するコメント表示装置も提供する。
【００１１】
また、上記構成を備え、さらに一のコメント投稿者からの入力受付けに応じてランダムに選択されたユニーク表示フォーマットＩＤで識別されるユニーク表示フォーマットを、他のコメント投稿者からの入力受付けに応じてランダムに選択されたユニーク表示フォーマットＩＤで識別されるユニーク表示フォーマットと交換する交換部を有するコメント表示装置も提供する。
【００１２】
また、上記のようにランダムに選択されるユニーク表示フォーマットでコメントを表示する端末装置も提供する。
【００１３】
具体的には、複数ある表示フォーマットから選択される特定のフォーマットを用いて、コメント投稿者からのコンテンツに対するコメントを表示する端末装置であって、投稿されたコメントがコメント投稿者以外にも閲覧可能とされる際に利用されうる複数の表示フォーマットのうち、前記取得したコメントのコメント投稿者によってランダムに選択された表示フォーマットであるユニーク表示フォーマットにてコメントを表示するよう制御するための表示制御情報を取得する表示制御情報取得部と、取得した表示制御情報に基づいて前記ランダムに選択されたユニーク表示フォーマットにてコメントを表示するコメント表示部と、を有する端末装置を提供する。
【００１４】
また、上記コメント表示装置や端末装置の動作方法やプログラムも提供する。
【発明の効果】
【００１５】
以上のような構成をとる本発明によって、コメント投稿者は、複数の表示フォーマットの中からランダムで選択される表示フォーマットを利用してコメントを投稿し表示させることができる。つまりそのランダム選択で同じ表示フォーマットが選択されない限り、全てのコメント投稿者が共通して同じ表示フォーマットを利用できるわけではなく、したがって他のコメント投稿者との視覚上の差別化を容易に図ることができる。
【図面の簡単な説明】
【００１６】
【図１】実施例１のコメント表示装置による端末装置上でのコメント表示制御の一例を表す図
【図２】実施例１のコメント表示装置における機能ブロックの一例を表す図
【図３】実施例１のコメント表示装置におけるユニーク表示フォーマットの一例を表す図
【図４】実施例１のコメント表示装置でのユニーク表示フォーマットＩＤのランダム選択における端末装置上での画面表示の一例を表す図
【図５】実施例１のコメント表示装置でのユニーク表示フォーマットＩＤのランダム選択における端末装置上での画面表示の、別の一例を表す図
【図６】実施例１の端末装置における機能ブロックの一例を表す図
【図７】実施例１のコメント表示装置におけるハードウェア構成の一例を表す図
【図８】実施例１の端末装置におけるハードウェア構成の一例を表す図
【図９】実施例１のコメント表示装置における処理の流れの一例を表すフローチャート
【図１０】実施例１の端末装置における処理の流れの一例を表すフローチャート
【図１１】実施例２のコメント表示装置における機能ブロックの一例を表す図
【図１２】実施例２のコメント表示装置における新たなユニーク表示フォーマットの生成の一例を説明するための図
【図１３】実施例２のコメント表示装置における交換部でのユニーク表示フォーマットの交換処理の一例を表す図
【図１４】実施例２のコメント表示装置における処理の流れの一例を表すフローチャート
【発明を実施するための形態】
【００１７】
以下に、図を用いて本発明の実施の形態を説明する。なお、本発明はこれら実施の形態に何ら限定されるものではなく、その要旨を逸脱しない範囲において、種々なる態様で実施しうる。
【００１８】
なお実施例１は、主に請求項１，４，５から８について説明する。また、実施例２は、主に請求項２、３について説明する。
【００１９】
≪実施例１≫
<概要>
図１は、本実施例のコメント表示装置による端末装置上でのコメント表示制御の一例を表す図である。なお、以下では、詳細は後述するユニーク表示フォーマットをキャラクターカードで表象するデータとすることで、そのランダム選択にエンターテインメント性を持たせた実施例を記載している。しかしユニーク表示フォーマットはもちろんそれに限定されるものではなく、名称文字列などによって他のフォーマットと識別される単なる（視覚上効果をほとんど有さない）データとして実施されても良い。
【００２０】
そして、図１（ａ）にあるように、例えばユーザＡは、コメント「ホームラン」の投稿入力時に、その表示フォーマットとして、以前にランダムに選択され入手している「鳥」のキャラクターカードで表象される表示フォーマットを指定する。そしてこの「鳥」で表象される表示フォーマットは入力されたコメントの大きさを３２ポイント（通常は１０ポイントの大きさ）とするものであり、これによりコメント「ホームラン」は、他のコメント「すげえ」などより２倍以上大きなコメントとして表示される。
【００２１】
一方、図１（ｂ）にあるように、ユーザＢはランダム選択によって「鳥」の表示フォーマットは入手していないが、「犬」で表象される別の表示フォーマットを入手している。したがってユーザＢによる投稿コメントは、その「犬」の表示フォーマットで指定される「文字色：赤」（通常は黒）で表示され、やはり他のコメントと差別化することができる。
【００２２】
<機能的構成（コメント表示装置）>
図２は、本実施例のコメント表示装置における機能ブロックの一例を表す図である。なお、このコメント表示装置は、複数ある表示フォーマットから選択される特定のフォーマットを用いて、コメント投稿者からのコンテンツに対するコメントを他の者にも閲覧可能に表示するためのコメント表示装置であって、基本的にはネットワークを介してコメントを配信するサーバ装置で実現される。また、ここで本発明においてコメントの投稿対象となる「コンテンツ」についてはユーザの端末装置にて出力されるものであれば特に限定せず、例えば動画コンテンツのほか、静止画コンテンツ、音楽コンテンツ、テキストコンテンツなどが挙げられる。また、このようにコンテンツに対して投稿されたコメントの端末装置における表示態様も、ランダム選択される表示フォーマットによって指定された形態で表示する以外は特に限定せず、例えば表示されるコンテンツに重畳して、あるいは近傍のエリアに表示することができる。また音楽コンテンツであれば、その音楽再生プレイヤーをコンテンツ表示の代わりとしてコメントを表示しても良い。
【００２３】
またコンテンツに対して投稿される「コメント」は、基本的には文字、記号、数字などのテキストベースのものであるが、絵文字などが含まれていても良いし、音声コメントであっても良い。
【００２４】
また、このコメント表示装置は、従来のコメント付コンテンツ配信システムにおけるコメント配信装置と一体に構成されても良いし、別体に構成され、コメント配信装置と協働処理を行う構成としても良い。なお、コメント配信にかかるコンテンツと関連付けたコメントの保持管理処理や配信処理に関しては従来のものと同様であるので、その説明は省略する。
【００２５】
そして本実施例のコメント表示装置や端末装置に関して、以下に記載するその機能ブロックは、ハードウェア及びソフトウェアの組み合わせとして実現され得る。具体的には、コンピュータを利用するものであれば、ＣＰＵ（中央演算装置）や主メモリ、バス、あるいは二次記憶装置（ＨＤＤ（ハードディスク）や不揮発性メモリ、ＣＤやＤＶＤなどの記憶メディアとそれらメディアの読取ドライブなど）、情報入力に利用される入力デバイス、印刷機器や表示装置、その他の外部周辺装置などのハードウェア構成部、またその外部周辺装置用のインターフェース、通信用インターフェース、それらハードウェアを制御するためのドライバプログラムやその他アプリケーションプログラム、ユーザ・インターフェース用アプリケーションなどが挙げられる。
【００２６】
そして主メモリ上に展開したプログラムに従ったＣＰＵの演算処理によって、入力デバイスやその他インターフェースなどから入力され、メモリやハードディスク上に保持されているデータなどが加工、蓄積されたり、上記各ハードウェアやソフトウェアを制御するための命令が生成されたりする。あるいは本装置の機能ブロックは専用ハードウェアによって実現されてもよい。また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、及び同製品を固定した記録媒体も、当然にこの発明の技術的な範囲に含まれる（本明細書の全体を通じて同様である）。
【００２７】
そして、図２にあるように、本実施例の「コメント表示装置」０２００は、「ユニーク表示フォーマットＩＤ保持部」０２０１と、「ユニーク表示フォーマットＩＤランダム選択部」０２０２と、「コメント表示制御部」０２０３と、を有する。
【００２８】
「ユニーク表示フォーマットＩＤ保持部」０２０１は、ユニーク表示フォーマットを識別するユニーク表示フォーマットＩＤを保持する機能を有し、例えばＨＤＤやフラッシュメモリなどの各種記憶装置によって実現することができる。「ユニーク表示フォーマット」とは、コメント投稿者によって投稿されるコメントが他の者にも閲覧可能とされる際に利用されうる複数の表示フォーマットをいい、当該ユニーク表示フォーマットを選択しなければ、通常では指定できないような表示形態での表示を可能とするフォーマット情報である。
【００２９】
図３は、このユニーク表示フォーマットの一例を表す図である。この図にあるように例えば「鳥」のキャラクターカードで表象されるユニーク表示フォーマットは、コメントの大きさを、通常では指定できない大きさとして指定するものである。また「犬」のキャラクターカードで表象されるユニーク表示フォーマットは、そのコメントの色を通常では指定できない色として指定するものである。また、その他にも、例えばコメントの表示位置を通常では指定できない位置に指定するユニーク表示フォーマットや、コメントのアニメーション効果（明滅や大きさ変化、色変化など）を通常では指定できないアニメーションに指定するユニーク表示フォーマット、またコメントが動的に表示されるのであればその移動表示スピードを通常では指定できない速度に指定するユニーク表示フォーマットや、コメントの移動アニメーション（直線的な移動、螺旋状の移動など）を通常では指定できない形態に指定するユニーク表示フォーマット、あるいはコンテンツが動画であれば通常では指定できない特別なシーン（冒頭コマや最終コマなど）をコメントの表示タイミングとして指定するユニーク表示フォーマットなどが挙げられる。
【００３０】
またコメントが音声フォーマットの場合は例えば「音量の大きさ」、「再生スピード」、「再生タイミング」、「付加的な効果音」などを表示フォーマットとすると良い。
【００３１】
なお、一のユニーク表示フォーマットで一の表示フォーマットが指定される構成としても良いし、コメントの大きさと色が指定可能という具合に複数の表示フォーマットの組み合わせを指定できる構成としても良い。また、表示フォーマットは、上記のように例えば文字の大きさを３２ポイントとするという具合に一義的に表示形態を規定するものであっても良いし、文字の大きさを２４〜３２ポイントの範囲内とするという具合に所定の範囲の中から指定可能に表示形態を規定するものであっても良い。
【００３２】
また、表示に関する情報以外に、例えばコメント投稿者が利用するユニーク表示フォーマットを指定する場合に別途ユーザが保持する電子的なポイントが必要との構成としていれば、利用の際に必要なポイントが各ユニーク表示フォーマットに付与されていても良い。また、例えばユニーク表示フォーマットを利用していないコメントは、コンテンツに対するコメントの表示数が制限されている場合、一定以上になると投稿時期の古い順に削除され表示されなくなったり、最新の所定件数のコメントのみをコメントサーバから取得して表示しても良い。一方、ユニーク表示フォーマットを利用しているコメントは、コンテンツに対するコメントの表示数に関係なく、一定期間表示され続ける構成とし、その表示期間を示す情報が各ユニーク表示フォーマットに付与されていても良い。
【００３３】
そしてこのように表示フォーマットを指定することで、様々な視覚上の効果をコメント表示において発揮することができる。
【００３４】
「ユニーク表示フォーマットＩＤランダム選択部」０２０２は、コメント投稿者からのコメント投稿の入力受付け、又はコメント投稿以外の入力受付けに応じて前記ユニーク表示フォーマットＩＤのいずれか一以上がランダムに選択されるよう構成され、例えばＣＰＵや主メモリ、ユニーク表示フォーマットＩＤランダム選択プログラムなどによって実現することができる。このように、上記保持されている複数のユニーク表示フォーマットＩＤの中から、いずれか一以上がランダムに選択されコメント投稿者に取得されることで、このコメント表示装置では、コメント投稿者が共通して同じ表示フォーマットを利用できないことを特徴とする。
【００３５】
また、上記のように、ユニーク表示フォーマットＩＤのランダム選択を実行するトリガーとなるコメント投稿者からの入力受付けは、「コメント投稿」の入力受付けであっても良いし、「コメント投稿以外」の入力受付けであっても良い。つまり、前者の場合はコメント投稿者によるコメントの投稿入力に際して、その入力コメントに対して使用されるユニーク表示フォーマットＩＤがランダムに選択される、という具合である。
また、後者の場合は、コメント投稿者のコメント入力の処理ステップの前に、別途ユニーク表示フォーマットＩＤをコメント投稿者が入手するステップ（すなわちユニーク表示フォーマットの入手意思表示を示す情報の入力受付ステップ）を設け、コメントの入力前にユーザから前記入手意思表示を示す情報の入力を受付ける（すなわちコメント投稿以外の入力を受付ける）ことで、前もってユニーク表示フォーマットＩＤがランダムに選択される構成が挙げられる。また後者の場合、コメント投稿者はそのようにして入手したユニーク表示フォーマットＩＤを保持しておき、コメント投稿時に自身が保持しているユニーク表示フォーマットＩＤを指定してコメントを投稿する、という具合である。もちろん、コメント投稿以外の入力受付けは上記例に限定されず、例えば本サービス利用時のログイン時にユニーク表示フォーマットＩＤのランダム選択を実行する構成とするのであれば、当該ログインための操作の入力受付けがコメント投稿以外の入力受付けとなるし、その他にもコメント投稿の対象となるコンテンツの再生操作の入力受付けやコンテンツの検索操作の入力受付けなどコメント投稿以外の入力受付けは様々であって良い。
【００３６】
図４は、前者のユニーク表示フォーマットＩＤのランダム選択における端末装置上での画面表示の一例を表す図である。この図にあるように、例えばコメント入力欄の横に、「ランダム選択スタート」などのボタンαが設けられ、コメント入力後に当該ボタンを押すことで選択されたユニーク表示フォーマットＩＤが、そのコメント表示に際して利用されるよう指定される、という具合である。
【００３７】
図５は、後者のユニーク表示フォーマットＩＤのランダム選択後における端末装置上での画面表示の一例を表す図である。ここで前述のように、ユーザからユニーク表示フォーマットＩＤの入手意思表示を示す情報の入力受付けや、あるいはサービスへのログイン操作の入力受付け、コンテンツの再生操作の入力受付けなどをトリガーとしてユニーク表示フォーマットＩＤがランダムに選択され、ユーザに対して選択されたユニーク表示フォーマットＩＤが付与される（入手ステップ）。そして付与されたユニーク表示フォーマットＩＤは当該ユーザが入手したものとして、ユーザＩＤと関連付けて管理される。その後、この図５（ａ）にあるように、前述の入手ステップでランダムに選択して入手し保持しているユニーク表示フォーマットＩＤを示すキャラクターカードの中からコメント投稿時に指定可能なカードの組を選び「デッキ（複数のキャラクターカードの集合）」を生成する。そして図５（ｂ）に示すように、コメントの入力画面において、例えばコメント入力欄の横に設けられた「デッキ」などのボタンβが押されると、前前記生成したデッキ画面が表示され、その中から所望のユニーク表示フォーマットＩＤを指定することができる、という具合である。
【００３８】
また、ここでのランダム選択は、入手条件に応じてその選択確率が変動する構成としても良い。
【００３９】
また、このコメント投稿者に対してコメント投稿時に利用できるようにランダムに選択されるユニーク表示フォーマットとは別に、コメント表示装置は誰でも利用可能な表示フォーマットである「デフォルト表示フォーマット」を受付け、ユニーク表示フォーマットとデフォルト表示フォーマットにより表示されるコメントが混在するようにしても良い。これによって、他と変わらない多数のデフォルト表示フォーマットによるコメントの中にユニーク表示フォーマットによるコメントが表示されることになるので、ユニーク表示フォーマットの希少性をさらに向上させる効果が期待できる。
【００４０】
また、コメントをコンテンツに重畳して表示させる場合、ユニーク表示フォーマットによるコメントの表示レイヤーをデフォルト表示フォーマットによるコメントの表示レイヤーよりも上に配置するよう構成しても良い。これによってユニーク表示フォーマットによるコメントがデフォルト表示フォーマットによるコメントがどれほど多くてもそれに表示が重なって隠されることがなくなるので、ユニーク表示フォーマットの希少性を、またさらに向上させる効果が期待できる。
【００４１】
「コメント表示制御部」０２０３は、コメント投稿者からのコメントの投稿に際してそのコメント投稿者の前記入力受付けに応じてランダムに選択されたユニーク表示フォーマットＩＤで識別されるユニーク表示フォーマットにてコメントを表示するよう制御するための表示制御情報を出力する機能を有し、例えばＣＰＵや主メモリ、コメント表示制御プログラムなどによって実現することができる。
【００４２】
ここで、この表示制御情報はコメントと関連付けて外部の端末装置にネットワークを介して送信され、その端末装置上で表示制御情報に基づくコメントの表示処理が実行されることでランダムに選択されたユニーク表示フォーマットでのコメント表示を実現しても良い。
【００４３】
あるいはコメント表示装置にて、例えばランダムに選択されたユニーク表示フォーマットでのコメント表示を実現するようなコメント画像データ（場合によってはコンテンツとも組み合わされた画像データ）を生成し、そのコメント画像データを表示制御情報として端末装置に送信する構成としても良い。
【００４４】
<機能的構成（端末装置）>
図６は、本実施例の端末装置における機能ブロックの一例を表す図である。なお、端末装置は、上記コメント表示装置から送信された表示制御情報を取得することで、複数ある表示フォーマットから選択される特定のフォーマットを用いて、コメント投稿者からのコンテンツに対するコメントを表示する端末装置である。
【００４５】
そして、この図６に示すように、本実施例の「端末装置」０６１０は、「表示制御情報取得部」０６１１と、「コメント表示部」０６１２と、を有する。
【００４６】
「表示制御情報取得部」０６１２は、投稿されたコメントが、ネットワークを介してコメント配信サーバと接続されたユーザ端末に配信され、それによってコメント投稿者以外のユーザの端末上で表示される際に利用されうる複数の表示フォーマットのうち、前記取得したコメントのコメント投稿者によってランダムに選択された表示フォーマットであるユニーク表示フォーマットにてコメントを表示するよう制御するための表示制御情報を取得する機能を有し、例えばＣＰＵや主メモリ、通信回路、表示制御情報取得プログラムなどによって実現される。
【００４７】
なお、ここで取得される表示制御情報は、前述のようにユニーク表示フォーマットを示す情報であっても良いし、当該ユニーク表示フォーマットで表示されるよう生成されたコメント画像データなどであっても良い。
【００４８】
「コメント表示部」０６１３は、取得した表示制御情報に基づいて前記ランダムに選択されたユニーク表示フォーマットにてコメントを表示する機能を有し、ＣＰＵや主メモリ、ディスプレイ、コメント表示プログラムなどによって実現することができる。なお、「取得した表示制御情報に基づくコメントの表示」とは、表示制御情報の種類によって様々な表示処理であって良く、例えば表示制御情報がユニーク表示フォーマットを示す情報であれば、そこで示されるユニーク表示フォーマット（例えば文字の大きさが３２ポイント）にしたがって、テキストデータなどとして図示しないコメント取得部にて別途取得したコメントの大きさを３２ポイントとしてディスプレイにコンテンツとともに表示する処理が挙げられる。
【００４９】
なお、この場合の「コメント取得部」は、コンテンツに対するコメントを取得する機能を有し、例えばＣＰＵや主メモリ、通信回路、コメント取得プログラムなどによって実現され、従来のコメント付コンテンツ配信システムにおけるコメント取得部として実現されると良い。
【００５０】
また、例えば表示制御情報がユニーク表示フォーマットで表示されるよう生成されたコメント画像データなどであれば、その画像データをコンテンツと組み合わせるなどしてディスプレイに表示する処理が挙げられる。
【００５１】
以上のように本実施例のコメント表示装置によって端末装置に対して上述の表示制御情報が送信されることで、端末装置では複数の表示フォーマットの中からランダムで選択される表示フォーマットを利用したコメント表示が実行される。
【００５２】
<ハードウェア構成（コンテンツ表示装置）>
図７は、上記機能的な各構成要件をハードウェアとして実現した際の、コンテンツ表示装置における構成の一例を表す概略図である。この図を利用して各処理に係るそれぞれのハードウェア構成部の働きについて説明する。
【００５３】
この図にあるように、コンテンツ表示装置は、「ＣＰＵ」０７０１と、「主メモリ」０７０２と、を備えている。そしてこの「ＣＰＵ」および「主メモリ」によって、ユニーク表示フォーマットＩＤランダム選択部に係る演算処理をはじめとするさまざまな演算処理が実行される。また、このコンテンツ表示装置は、さらにユニーク表示フォーマットＩＤ保持部である「ＨＤＤ」０７０３や、コンテンツ表示制御部であって、端末装置と通信するための「通信回路」０７０４などを備えている。
【００５４】
そして「主メモリ」には各種プログラムが読み出され、「ＣＰＵ」は読み出された当該プログラムを参照し、そこで示される手順に従い各種演算処理を実行する。また、この「主メモリ」や「ＨＤＤ」にはそれぞれ複数のアドレスが割り当てられており、「ＣＰＵ」の演算処理においては、そのアドレスを特定し格納されているデータにアクセスすることでデータを用いた演算処理を行うことが可能になっている。
【００５５】
ここで、「ＨＤＤ」には、ユニーク表示フォーマットＩＤおよび当該ＩＤで識別されるユニーク表示フォーマットの指定パラメータ（例えば文字の大きさが３６など）が保持されている。そして「通信回路」にて、端末装置からのユニーク表示フォーマットＩＤの入手希望を示すリクエスト情報、あるいは端末装置にて入力されたコメントを示す情報を受付けると、「ＣＰＵ」はユニーク表示フォーマットＩＤランダム選択プログラムを解釈し、その解釈結果に従って「ＨＤＤ」に保持されている複数のユニーク表示フォーマットＩＤの中から、少なくとも一以上のＩＤをランダム処理によって選択する。なお、ここでのランダム処理は乱数プログラムを利用して完全にランダムで選択される構成としても良いし、例えば上記端末装置からの情報の受付順番に応じて選択されるＩＤが定められていることで、少なくとも自分の受付順番を把握できない端末装置からはランダムに選択されたかのように見える擬似的なランダム選択処理であっても良い。
【００５６】
そして、そのように選択されたユニーク表示フォーマットＩＤを、例えば前記ユニーク表示フォーマットＩＤの入手希望を示すリクエスト情報に応じて端末装置に返信する。そして端末装置ではその返信されたユニーク表示フォーマットＩＤが保持され、コメント投稿に際して指定されることで投稿コメントとともに送信され、コメント表示装置の「通信回路」に取得される。そして、当該投稿コメントとユニーク表示フォーマットＩＤ（及びコメントの投稿対象であるコンテンツＩＤ）が関連付けて「ＨＤＤ」の管理テーブルに記録される。
【００５７】
あるいは、端末装置にて入力されたコメントを示す情報の受付に応じてユニーク表示フォーマットＩＤをランダム選択した場合には、そのランダム選択したユニーク表示フォーマットＩＤとコメントが同様に関連付けられ「ＨＤＤ」の管理テーブルに記録される。
【００５８】
その後、ネットワーク上の端末装置からのコンテンツ配信リクエストがコンテンツ配信サーバ（このコメント表示装置と一体のサーバ装置として構成されていても良い）にて受信されると、コンテンツ配信サーバでは指定されたコンテンツの端末装置への配信に際してコンテンツＩＤをこのコンテンツ表示装置に対して出力する。
【００５９】
するとコンテンツ表示装置の「ＣＰＵ」は、コンテンツ表示制御プログラムを解釈し、その解釈結果に従って、前記コンテンツ配信サーバから出力され取得したコンテンツＩＤをキーとして「ＨＤＤ」にて保持されている管理テーブルの検索処理を実行する。そして、検索処理の結果、当該コンテンツＩＤに関連付けられている一以上のコメント及びユニーク表示フォーマットＩＤで識別されるユニーク表示フォーマットを、それぞれ「主メモリ」のアドレス１，２、・・・に格納する。
【００６０】
そして、そのコメント（テキストデータ）及びユニーク表示フォーマットを表示制御情報として、前記コンテンツのリクエスト元である端末装置に対して「通信回路」からネットワークを介して送信する。あるいは「ＣＰＵ」の演算処理によって、そのユニーク表示フォーマットで示される表示態様にてコメントが表示されるようコメント画像データを生成し、そのコメント画像データを表示制御情報として、前記コンテンツのリクエスト元である端末装置に対して「通信回路」からネットワークを介して送信する、という具合である。
【００６１】
<ハードウェア構成（端末装置）>
図８は、上記機能的な各構成要件をハードウェアとして実現した際の、端末装置における構成の一例を表す概略図である。この図を利用して各処理に係るそれぞれのハードウェア構成部の働きについて説明する。
【００６２】
この図にあるように、端末装置は、「ＣＰＵ」０８１１と、「主メモリ」０８１２と、を備えている。そしてこの「ＣＰＵ」および「主メモリ」によって、コメント表示部に係る演算処理をはじめとするさまざまな演算処理が実行される。また、この端末装置は、さらに各種プログラムやコメント投稿者の端末も兼ねるのであればランダムに入手したユニーク表示フォーマットを保持する「ＨＤＤ」０８１３や、表示制御情報取得部であって、コンテンツ表示装置と通信するための「通信回路」０８１４や、コンテンツ及びコメントを表示する「ディスプレイ」（コンテンツやコメントが音声であればスピーカ）０８１５などを備えている。
【００６３】
ここで、端末装置はコンテンツ配信サーバにアクセスし、所望のコンテンツの配信リクエストを送信する。そしてリクエストしたコンテンツをコンテンツ配信サーバから受信し、また当該コンテンツに対して投稿された表示制御情報（コメント及びユニーク表示フォーマット、または前述のコメント画像データ）をコメント表示装置から「通信回路」を介して取得し、「主メモリ」のアドレス１，２、・・・に格納する。
【００６４】
そして「ＣＰＵ」はコメント表示プログラムを解釈し、例えば表示制御情報のユニーク表示フォーマットで示される表示態様にてコメントが表示されるようテキストデータのコメントを利用してコメント画像データを生成する。そしてこのように生成したコメント画像データ、あるいは予め表示制御情報として取得したコメント画像データをコンテンツとともに「ディスプレイ」に表示する、という具合である。
【００６５】
<処理の流れ（コンテンツ表示装置）>
図９は、本実施例のコンテンツ表示装置における処理の流れの一例を表すフローチャートである。なお、以下に示すステップは、上記のような計算機の各ハードウェア構成によって実行されるステップであっても良いし、媒体に記録され計算機を制御するためのプログラムを構成する処理ステップであっても構わない。
【００６６】
この図にあるように、まず、コンテンツ表示装置において、例えばサービス提供者などによる登録受付処理によって、複数のユニーク表示フォーマットおよびそれを識別するユニーク表示フォーマットＩＤがユニーク表示フォーマットＩＤ保持部に記録される（ステップＳ０９０１：ユニーク表示フォーマットＩＤ記録ステップ）。
【００６７】
その後、コメント投稿者からのコメント投稿の入力受付け、又はコメント投稿以外の入力受付けに応じて、ユニーク表示フォーマットＩＤ保持部に記録、保持されているユニーク表示フォーマットＩＤのいずれか一以上がランダムに選択される（ステップＳ０９０２：ユニーク表示フォーマットＩＤランダム選択ステップ）。なお、このときのコメント投稿者からの入力受付が、コメント投稿より前に実行されたユニーク表示フォーマットＩＤの入手リクエストであれば、ステップＳ０９０２にてランダムに選択されたユニーク表示フォーマットＩＤを入手リクエスト元の端末装置に返信する。そして、その後のコメント投稿に際して端末装置から指定されたユニーク表示フォーマットＩＤとコメントを、投稿対象のコンテンツＩＤと合わせて管理テーブルに記録する。
【００６８】
あるいは、ステップＳ０９０２でのコメント投稿者からの入力受付が、コメント投稿の入力受付であれば、ランダムに選択されたユニーク表示フォーマットＩＤと入力を受付けたコメント、及び投稿対象のコンテンツＩＤと合わせて管理テーブルに記録する。
【００６９】
その後、コンテンツ配信サーバでのネットワーク上の端末装置に対するコンテンツ配信に際して、例えばその配信コンテンツのＩＤを取得し、取得したコンテンツＩＤに関連付けて管理されているコメント、およびユニーク表示フォーマットＩＤで識別されるユニーク表示フォーマットＩＤを取得する。そして、取得したコメントとユニーク表示フォーマットをそのまま表示制御情報として、あるいは取得したコメントとユニーク表示フォーマットに基づいて生成したコメント表示データを表示制御情報として、コンテンツの配信リクエスト元の端末装置に対して送信することで、端末装置でのコメントの表示制御を行う（ステップＳ０９０３：コメント表示制御ステップ）。
【００７０】
<処理の流れ（端末装置）>
図１０は、本実施例の端末装置における処理の流れの一例を表すフローチャートである。なお、以下に示すステップは、上記のような計算機の各ハードウェア構成によって実行されるステップであっても良いし、媒体に記録され計算機を制御するためのプログラムを構成する処理ステップであっても構わない。
【００７１】
この図にあるように、まず、端末装置にてコンテンツ配信サーバに対してコンテンツの配信リクエストを送信する。すると、そのリクエストに応じたコンテンツと、当該コンテンツに対して投稿されたコメント及びユニーク表示フォーマットで示される表示制御情報、あるいは前述のコメント画像データを示す表示制御情報を取得する（ステップＳ１０１１：表示制御情報取得ステップ）。
【００７２】
そして、取得したコメント及びユニーク表示フォーマットを利用して生成したコメント画像データ、または取得したコメント画像データをコンテンツとともにディスプレイに表示する（ステップＳ１０１２：コメント表示ステップ）ことで、コメント投稿者においてランダムに選択されたユニーク表示フォーマットによるコメント表示が実現される。
【００７３】
<効果の簡単な説明>
以上のように、本実施例のコンテンツ表示装置や端末装置によって、コメント投稿者は、複数の表示フォーマットの中からランダムで選択される表示フォーマットを利用してコメントを投稿し表示させることができる。つまりそのランダム選択で同じ表示フォーマットが選択されない限り、全てのコメント投稿者が共通して同じ表示フォーマットを利用できるわけではなく、したがって他のコメント投稿者との視覚上の差別化を容易に図ることができる。
【００７４】
また、その差別化によって、多数のコメントの中から自分の投稿したコメントを目立たせることができるのでコメント投稿のインセンティブが高くし、投稿コメント数を増加させる効果も期待できる。
【００７５】
≪実施例２≫
<概要>
本実施例は、上記実施例を基本として、コメント投稿者に対してランダムに選択された２以上のユニーク表示フォーマットを組み合わせて、その組み合わせによる新しいユニーク表示フォーマットを生成する機能を有することを特徴とするコメント表示装置である。
【００７６】
あるいは、２以上のコメント投稿者に対してそれぞれランダムに選択されたユニーク表示フォーマットをお互いに交換する機能を有するコメント表示装置である。
【００７７】
<機能的構成>
図１１は、本実施例のコメント表示装置における機能ブロックの一例を表す図である。この図にあるように本実施例の「コメント表示装置」１１００は、上記実施例を基本として、「ユニーク表示フォーマットＩＤ保持部」１１０１と、「ユニーク表示フォーマットＩＤランダム選択部」１１０２と、「コメント表示制御部」１１０３と、を有する。なお、これら構成要件は上記実施例にて記載済みであるので、その説明は省略する。
【００７８】
そして本実施例のコメント表示装置は、さらに「ユニーク表示フォーマット生成部」１１０４、又は／及び「交換部」１１０５を有することを特徴とする。
【００７９】
「ユニーク表示フォーマット生成部」１１０４は、ユニーク表示フォーマットＩＤランダム選択部でランダムに選択された２以上のユニーク表示フォーマットＩＤで識別されるユニーク表示フォーマットを組み合わせて新しいユニーク表示フォーマットを生成する機能を有し、例えばＣＰＵや主メモリ、ユニーク表示フォーマット生成プログラムなどによって実現できる。
【００８０】
ここで、２以上のユニーク表示フォーマットから生成されるユニーク表示フォーマットによるコメントの表示形態については特に限定しないが、例えば文字の大きさを通常の１．５倍にするユニーク表示フォーマットＡと、２倍にするユニーク表示フォーマットＢから、文字の大きさを１．５倍と２倍の組み合わせ値である３倍にするユニーク表示フォーマットＣが生成される、という具合に、生成元となるユニーク表示フォーマットの組み合わせや発展に基づく表示形態のものとして新たに生成されると良い。
【００８１】
図１２は、この新たなユニーク表示フォーマットの生成の一例を説明するための図である。この図１２（ａ）にあるように、例えば文字の大きさを１６ポイントとするユニーク表示フォーマットと、文字の大きさを３２ポイントとするユニーク表示フォーマットを組み合わせることで、新たに文字の大きさを「１６＋３２＝４８ポイント」の大きさとするユニーク表示フォーマットが生成されても良い。
【００８２】
あるいは図１２（ｂ）にあるように、例えば文字の色を赤色にするユニーク表示フォーマットと、文字の表示位置をコンテンツの下位置とするユニーク表示フォーマットを組み合わせることで、新たに文字の色を赤色にし、又は／及び文字の表示位置をコンテンツの下位置とする新たなユニーク表示フォーマットが生成される、という具合である。
【００８３】
また、コメントの表示形態以外のパラメータ、例えば前述の利用に際して必要なコストや、コメントの生存期間などが変更され、新しいユニーク表示フォーマットが生成されても良い。
【００８４】
また、この新しいユニーク表示フォーマットの生成元となる２以上のユニーク表示フォーマットは、同一のコメント投稿者の保持する（コメント投稿者に対してランダム選択された）ものであっても良いし、別々のコメント投稿者の保持するものであっても良い。また、別々のコメント投稿者の保持するものである場合、一の新しいユニーク表示フォーマットが生成され、元の保持者のいずれか１人に保持される構成としても良いし、人数分の新しいユニーク表示フォーマットが生成され、各コメント投稿者に入手されても良い。
【００８５】
「交換部」１１０５は、一のコメント投稿者からの入力受付けに応じてランダムに選択されたユニーク表示フォーマットＩＤで識別されるユニーク表示フォーマットを、他のコメント投稿者からの入力受付けに応じてランダムに選択されたユニーク表示フォーマットＩＤで識別されるユニーク表示フォーマットと交換する機能を有し、例えばＣＰＵや主メモリ、交換プログラムなどによって実現されても良い。
【００８６】
図１３は、この交換部でのユニーク表示フォーマットの交換処理の一例を表す図である。この図にあるように、例えば交換を行う２以上のコメント投稿者が、自身に対してランダムに選択されたユニーク表示フォーマットを提示して交換を申し込み、両者が「ＯＫ」のボタンを押すなどすると当該ユニーク表示フォーマットの交換が成立する、という具合である。また、コメント投稿者が複数のユニーク表示フォーマットを保持していれば、その中から任意のものを自身あるいは相手が選択する構成であっても良い。
【００８７】
またユニーク表示フォーマットについてランクが定められており（例えば文字の大きさを３２ポイントとするユニーク表示フォーマットは１６ポイントとするものよりランクが高い、あるいは文字の移動アニメーションを規定するユニーク表示フォーマットは、文字の色を変えるものよりもランクが高いなど）、例えばランク３のユニーク表示フォーマットであれば、それ１つでランク１とランク２のユニーク表示フォーマットの組み合わせや、ランク１のユニーク表示フォーマット３つと交換できる、という具合に交換相場が設けられていても良い。
【００８８】
<処理の流れ>
図１４は、本実施例のコンテンツ表示装置における処理の流れの一例を表すフローチャートである。なお、以下に示すステップは、上記のような計算機の各ハードウェア構成によって実行されるステップであっても良いし、媒体に記録され計算機を制御するためのプログラムを構成する処理ステップであっても構わない。
【００８９】
この図１４（ａ）にあるように、まず、コンテンツ表示装置において、１または２以上のユーザから、当該ユーザに対してランダムに選択された２以上のユニーク表示フォーマットの組み合わせのリクエスト情報を受付けると、所定の組み合わせルールに従って、例えば指定された２以上のユニーク表示フォーマットの表示態様を示すパラメータ値を合成したり、２以上の表示形態のいずれかを選択可能としたり、あるいは文字の大きさに関するものと文字の色に関するものの組み合わせであれば、文字の移動スピードに関するユニーク表示フォーマットとするという具合にまったく別のユニーク表示フォーマットとしたりするなどして新しいユニーク表示フォーマットを生成する（ステップＳ１４０１Ａ：ユニーク表示フォーマット生成ステップ）。
【００９０】
あるいは図１４（ｂ）にあるように、例えば交換用のウェブページなどを利用して、２以上のユーザから、当該ユーザに対してランダムに選択されたユニーク表示フォーマットの交換を承諾する旨の情報を受信すると、その承諾情報に応じて、２以上のユーザ間で指定されたユニーク表示フォーマットの交換し（ステップＳ１４０１Ｂ：交換ステップ）、その所有者（ランダムな選択対象者）を書き換える処理を行う。
【００９１】
<効果の簡単な説明>
以上のように本実施例のコメント表示装置によって、ランダムに選択してコメント投稿者に入手されるユニーク表示フォーマットに関して、２以上の組み合わせによる新しいユニーク表示フォーマットの生成や交換機能を提供することができる。したがってユニーク表示フォーマットの入手そのものにエンターテインメント性を付与することができる。また所定の組み合わせや交換でしか入手できないユニーク表示フォーマットを用意することで、さらにそのエンターテインメント性を向上させる効果も期待できる。
【符号の説明】
【００９２】
０２００  コンテンツ表示装置
０２０１  ユニーク表示フォーマットＩＤ保持部
０２０２  ユニーク表示フォーマットＩＤランダム選択部
０２０３  コメント表示制御部
【図１】
2014007598.tif 000003
【図２】
2014007598.tif 000004
【図３】
2014007598.tif 000005
【図４】
2014007598.tif 000006
【図５】
2014007598.tif 000007
【図６】
2014007598.tif 000008
【図７】
2014007598.tif 000009
【図８】
2014007598.tif 000010
【図９】
2014007598.tif 000011
【図１０】
2014007598.tif 000012
【図１１】
2014007598.tif 000013
【図１２】
2014007598.tif 000014
【図１３】
2014007598.tif 000015
【図１４】
2014007598.tif 000016